(57)【要約】【課題】支持対象物とスタンドとの連結および連結後の移動を安定して容易に行うことが可能な結合部材およびこれを備えた電子機器を提供する。【解決手段】結合部材４の第１固定部１１を、本体部２の背面筐体２Ｂに固定し、二人の作業者Ｐ１，Ｐ２が各々一方の手Ｈ１で結合部材４の把持部１２を握り、他方の手Ｈ２を本体部２の背面筐体２Ｂの縁２Ｇに添えて、本体部２をスタンド３の支柱３Ｂに向けて下降させ、第１固定部１１および第２固定部１３の間の空腔１４にスタンド３の支柱３Ｂを収容する。第２固定部１３の第２通し孔１３Ａおよびネジ１３Ｂを用いて、結合部材４の第２固定部１３を空腔１４内の支柱３Ｂに固定する。これにより、本体部２とスタンド３とが結合部材４により連結される。【選択図】図８
2012028981.tif 000002
【特許請求の範囲】
【請求項１】
平板状の支持対象物と、基礎および支柱を有するスタンドとを連結する結合部材であって、
前記支持対象物の背面に固定される第１固定部と、
前記第１固定部との間に隙間をあけて取り付けられた把持部と、
前記スタンドの支柱に固定される第２固定部と、
前記第１固定部および前記第２固定部との間に前記スタンドの支柱を収容する空腔と
を備えた結合部材。
【請求項２】
前記第１固定部に、前記支持対象物の背面との相互係止構造が設けられている
請求項１記載の結合部材。
【請求項３】
前記第２固定部の下端に、前記スタンドの基礎との位置合わせのための合印が設けられている
請求項２記載の結合部材。
【請求項４】
前記空腔内に収容される回動補助部材を備え、
前記回動補助部材は、
前記第２固定部に固定された背面部と、
前記支柱に対して回動可能に固定されることにより前記支持対象物の左右の回転角度を変更する底面部と、
前記支柱に対して回動可能に固定されることにより前記支持対象物の前後の傾斜角度を変更する側面部と
を備えた請求項３記載の結合部材。
【請求項５】
画像表示のための平板状の本体部と、基礎および支柱を有するスタンドと、前記本体部および前記スタンドを連結する結合部材とを備え、
前記結合部材は、
前記本体部の背面に固定される第１固定部と、
前記第１固定部との間に隙間をあけて取り付けられた把持部と、
前記スタンドの支柱に固定される第２固定部と、
前記第１固定部および前記第２固定部との間に前記スタンドの支柱を収容する空腔と
を備えた電子機器。
【請求項６】
前記第１固定部の前記支持対象物に対向する面と、前記支持対象物の背面とに、相互係止構造が設けられている
請求項５記載の電子機器。
【請求項７】
前記第２固定部の下端と、前記スタンドの基礎とに、互いの位置合わせのための合印が設けられている
請求項６記載の電子機器。
【請求項８】
前記空腔内に収容される回動補助部材を備え、
前記回動補助部材は、
前記第２固定部に固定された背面部と、
前記支柱に対して回動可能に固定されることにより前記支持対象物の左右の回転角度を変更する底面部と、
前記支柱に対して回動可能に固定されることにより前記支持対象物の前後の傾斜角度を変更する側面部と
を備えた請求項７記載の結合部材。
【請求項９】
前記把持部に、前記本体部から導出されたケーブルを結束する部品の取付穴が設けられている
請求項５ないし８のいずれか１項に記載の結合部材。
【請求項１０】
前記第１固定部の下端に、前記本体部から導出されたケーブルを挟み込むための凹部が設けられている
請求項５ないし８のいずれか１項に記載の結合部材。
【発明の詳細な説明】
【技術分野】
【０００１】
本発明は、平板状の支持対象物とスタンドとを連結するための結合部材およびこの結合部材を備えた電子機器に関する。
【背景技術】
【０００２】
薄型テレビジョン装置または表示装置などの電子機器は、一般に、平板状の表示部本体をスタンドにより支持した構成を有している。このような電子機器では、従来、設置場所の移動のため、表示部の背面に輪の形をした取っ手をつけて持ち運び可能としたものがある（例えば、特許文献１参照。）。また、運搬用のハンドルをスタンドの背面に設けることも提案されている（例えば、特許文献２参照。）
【先行技術文献】
【特許文献】
【０００３】
【特許文献１】国際公開ＷＯ２００４／０６４０１７号パンフレット
【特許文献２】特開２００７−３１６５０１号公報
【発明の概要】
【発明が解決しようとする課題】
【０００４】
しかしながら、特許文献１のように表示部の背面に取っ手をつける手法は２０インチ程度までの小型機種に限定され、特に２６インチ以上の中型ないし大型機種への適用は難しかった。また、特許文献２のように運搬用のハンドルをスタンドの背面に設けた場合には、スタンドを表示部に取り付けた状態で持ち運ぶ際に、表示部が転倒し持ち運びに危険が生じるおそれがあった。
【０００５】
本発明はかかる問題点に鑑みてなされたもので、その目的は、支持対象物とスタンドとの連結および連結後の移動を安定して容易に行うことが可能な結合部材およびこれを備えた電子機器を提供することにある。
【課題を解決するための手段】
【０００６】
本発明による結合部材は、平板状の支持対象物と、基礎および支柱を有するスタンドとを連結するものであって、支持対象物の背面に固定される第１固定部と、第１固定部との間に隙間をあけて取り付けられた把持部と、スタンドの支柱に固定される第２固定部と、第１固定部および第２固定部との間にスタンドの支柱を収容する空腔とを備えたものである。
【０００７】
本発明による電子機器は、画像表示のための平板状の本体部と、基礎および支柱を有するスタンドと、本体部およびスタンドを連結する結合部材とを備え、結合部材は、上記本発明の結合部材により構成されたものである。
【０００８】
本発明の結合部材または本発明の電子機器では、本体部およびスタンドは次のようにして結合部材により連結される。まず、結合部材の第１固定部を支持対象物としての本体部の背面に固定する。次いで、例えば、一方の手で結合部材の把持部を握り、他方の手を本体部の縁に添えて、本体部をスタンドの支柱に向けて下降させることにより、第１固定部および第２固定部の間の空腔にスタンドの支柱を収容する。続いて、空腔内の支柱に第２固定部を固定することにより、本体部とスタンドとが結合部材により連結される。連結後においても、例えば、一方の手で結合部材の把持部を握り、他方の手を本体部の縁に添えて、安定して容易に移動させることが可能となる。
【発明の効果】
【０００９】
本発明の結合部材、または本発明の電子機器によれば、結合部材に、支持対象物の背面に固定される第１固定部と、スタンドの支柱に固定される第２固定部とを設けると共に、第１固定部に把持部を取り付け、第１固定部と第２固定部との間の空腔にスタンドの支柱を収容するようにしたので、簡素な構成で、支持対象物とスタンドとの連結および連結後の移動を安定して容易に行うことが可能となる。
【図面の簡単な説明】
【００１０】
【図１】本発明の第１の実施の形態に係る電子機器であるテレビジョン装置の外観を表す斜視図である。
【図２】図１に示した結合部材を立てた姿勢で表す斜視図である。
【図３】結合部材を寝かせた姿勢で表す斜視図である。
【図４】結合部材を裏面側から見た構成を表す斜視図である。
【図５】結合部材により連結された本体部およびスタンドの構成を表す断面図である。
【図６】図３に示した空腔を下面側から見た構成を表す拡大斜視図である。
【図７】結合部材を用いた表示装置の組立方法を工程順に表す斜視図であり、結合部材の表示部への取付工程を表す斜視図である。
【図８】結合部材を用いた表示部のスタンドへの取付工程を表す斜視図である。
【図９】図８の一部を拡大して表す斜視図である。
【図１０】結合部材およびスタンドの位置合わせ用の合印を説明するための斜視図である。
【図１１】結合部材をスタンドに固定する工程を表す斜視図である。
【図１２】ケーブル結束部品の取付工程を表す斜視図である。
【図１３】壁掛けを取り付けた状態を表す斜視図である。
【図１４】変形例１に係る結合部材の構成を表す斜視図である。
【図１５】本発明の第２の実施の形態に係る結合部材の、傾斜・回転部品の外観を表す斜視図である。
【図１６】図１５に示した傾斜・回転部品を結合部材の空腔に組み込んだ状態を表す断面図である。
【図１７】図１６の一部を拡大して表す断面図である。
【図１８】傾斜・回転部品を結合部材の空腔に組み込んだ状態を下面側から表す斜視図である。
【図１９】図１８の一部を拡大して表す斜視図である。
【発明を実施するための形態】
【００１１】
以下、本発明の実施の形態について図面を参照して詳細に説明する。なお、説明は以下の順序で行う。
１．第１の実施の形態（本体部のチルト角が固定されている例）
２．変形例１（ケーブルを挟み込むための凹部を設けた例）
３．第２の実施の形態（回動補助部材を設けることにより本体部のスイーベル動作およびチルト動作を可能とした例）
【００１２】
（第１の実施の形態）
図１は、本発明の第１の実施の形態に係る電子機器であるテレビジョン装置の背面側から見た外観を表したものである。このテレビジョン装置１は、例えば、画像表示のための平板状の本体部２とスタンド３とを結合部材４により連結した構成を有している。なお、このテレビジョン装置１は、図１に示したスタンド３を棚や台などの水平面に載置する据置型のほか、後述のように壁掛型（図１には図示せず、図１３参照。）での利用も可能なものである。
【００１３】
本体部２は、液晶，プラズマ，有機ＥＬ，無機ＥＬ，エレクトロデポジションもしくエレクトロクロミックなどの表示素子を用いた平板状の表示パネル２Ａ（図１には図示せず、図５参照。）を有している。表示パネル２Ａの側面および背面は、樹脂または金属よりなる背面筐体２Ｂに覆われている。背面筐体２Ｂの裏側には、表示パネル２Ａに接続された電源コード２Ｃおよびケーブル２Ｄが導出されている。ケーブル２Ｄは、例えば、テレビジョン装置１とＤＶＤ（Digital Versatile Disc）記録・再生装置，ＢＤ（Blu-ray Disc）記録・再生装置あるいはスピーカー内蔵スタンドなどの外部機器との接続を行うためのものである。
【００１４】
スタンド３は、支持対象物である本体部２を立てた状態で、本体部２の背面から下方にかけて支持する立設装置であり、例えば、基礎３Ａおよび支柱３Ｂ（図１には図示せず、図５参照。）を有している。基礎３Ａは、例えば、樹脂または金属よりなる棒状部材の上面に溝３Ｃを設けた、いわゆる「バータイプ」と呼ばれるものである。なお、このスタンド３は、例えば、基礎３Ａの背面中央にスピーカー内蔵部３Ｄを有するスピーカー内蔵スタンドである。
【００１５】
結合部材４は、本体部２とスタンド３とを連結するための部品であり、例えば、本体部２の背面の下方中央に取り付けられている。また、結合部材４には、例えば、クランパーなどのケーブル結束部品５が取り付けられており、このケーブル結束部品５により、背面筐体２Ｂから導出されたケーブル２Ｄがすっきりと美しくまとめられて結束されている。
【００１６】
図２および図３は、結合部材４を表面側から見た構成を、立てた姿勢および寝かせた姿勢でそれぞれ表したものであり、図４は、結合部材４を裏面側から見た構成を表したものである。また、図５は、結合部材４により連結された本体部２およびスタンド３の断面構成を表したものである。この結合部材４は、例えば、本体部２に固定される第１固定部１１と、取っ手としての把持部１２と、スタンド３の支柱３Ｂに固定される第２固定部１３と、スタンド３の支柱３Ｂを収容する空腔１４とを有している。
【００１７】
なお、第１固定部１１，把持部１２，第２固定部１３および空腔１４は、図４および図５に示したように、樹脂の射出成形工程における金型の都合により別々に形成された表側部材４Ａおよび裏側部材４Ｂの組み合わせにより構成されている。表側部材４Ａおよび裏側部材４Ｂは、例えば複数のネジ４Ｃにより互いに固定されている。
【００１８】
第１固定部１１は、本体部２の背面筐体２Ｂに固定される横長矩形板状の部分であり、結合部材４の背面に相当するものである。第１固定部１１は、本体部２へのネジ止めのための複数の第１通し孔１１Ａを有している。第１通し孔１１Ａは、ＶＥＳＡ規格に基づく壁掛け穴や、既存の壁掛けブラケット用の穴とは別に設けられていることが好ましい。これにより、第１通し穴１１Ａの数や間隔、第１固定部１１の寸法などを自由に定めることが可能となり、ネジ本数の削減および第１固定部１１のサイズの縮小、ひいてはコスト低減が可能となる。具体的には、第１通し孔１１Ａは、例えば三つ設けられており、中央上方に一つ、左下方に一つ、右下方に一つ、三角形に配置されている。これに対して、ＶＥＳＡ規格に基づく壁掛け穴を利用した場合には４点止めが必要となり、第１固定部１１の寸法も大きくする必要が生じる。
【００１９】
第１固定部１１は、図２に示したように、結合部材４を立てた姿勢で、鉛直面ＶＰに対して例えば６°の傾斜角θをなしている。この傾斜角θと同じ角度で表示パネル２Ａに傾きを設けることができる。よって、傾斜角θを任意の角度にすることにより、表示パネル２Ａの角度を任意に設定できる。
【００２０】
把持部１２は、第１固定部１１の上辺につながる天面１２Ａと、この天面１２Ａにつながる側面１２Ｂを有し、第１固定部１１の上方を覆っていると共に結合部材４の前面の上方における一部を構成するものである。この把持部１２は、第１固定部１１との間に隙間１２Ｃをあけて取り付けられている。これにより、この結合部材４では、使用者がこの隙間１２Ｃに指を入れて把持部１２を掴み、本体部２とスタンド３との連結や連結後の移動の作業を容易に行うことが可能となっている。
【００２１】
天面１２Ａは例えば傾斜面とされているが、天面の傾斜角度は特に限定されない。側面１２Ｂは、例えば第１固定部１１に平行に近い方が望ましい。使用者が手を入れる隙間１２Ｃにおいて、指の厚み方向で、均一な空間を得ることができるからである。
【００２２】
また、把持部１２の側面１２Ｂには、本体部２から導出されたケーブル２Ｄを結束するケーブル結束部品５（図１参照）の取付穴１２Ｄが設けられている。
【００２３】
第２固定部１３は、スタンド３の支柱３Ｂに固定される部分であり、結合部材４の前面の下方における一部を構成するものである。第２固定部１３は、支柱３Ｂへのネジ止めのための複数の第２通し孔１３Ａを有している。具体的には、第２通し孔１３Ａは、例えば三つ設けられており、中央上方に一つ、左下方に一つ、右下方に一つ、三角形に配置されている。
【００２４】
空腔１４は、第１固定部１１および第２固定部１３との間に設けられ、スタンド３の支柱３Ｂを収容するための中空部分であり、図３に示したように結合部材４の下面に開口している。空腔１４は、例えば図６に示したように、入口１４Ａから奥面１４Ｂに向かって狭くなっていると共に、内部に複数の案内用突起（ガイドリブ）１４Ｃが設けられていることが好ましい。スタンド３と結合部材４とを連結する際にスタンド３の支柱３Ｂを空腔１４に容易に挿入することが可能となるからである。
【００２５】
このような結合部材４は、ガラスフィラーが添加されたナイロンなど、大型の表示パネル２Ａを支持するのに十分な強度を有する材料により構成されていることが望ましい。なお、結合部材４は、例えば、ＡＢＳ樹脂（アクリロニトリル−ブタジエン−スチレン樹脂）を添加したポリカーボネートにより構成されていてもよい。
【００２６】
更に、第１固定部１１には、図４および図５に示したように、本体部２の背面との相互係止構造として、係止孔１１Ｂを有する凸部１１Ｃが設けられていることが好ましい。また、本体部２の表示パネル２Ａの背面にも、図５に示したように、係止孔１１Ｂに係止する鉤２Ｅが設けられていることが好ましい。これにより、第１固定部１１の第１通し孔１１Ａのネジを外した場合にも、鉤２Ｅが係止孔１１Ｂに引っ掛かったままになる。よって、本体部２が直ちに結合部材４およびスタンド３から分離して転倒などを生じるおそれが小さくなり、安全性が向上する。また、相互係止構造としての係止孔１１Ｂおよび鉤２Ｅは、強度対策としての機能も有しており、結合部材４と本体部２とを確実に連結し、ネジ本数を減らすことが可能となる。
【００２７】
凸部１１Ｃは、例えば三つ設けられており、中央下方に一つ、左上方に一つ、右上方に一つ、逆三角形に配置されている。なお、凸部１１Ｃの位置および数は特に限定されるものではない。
【００２８】
係止孔１１Ｂは、例えば、上端から下端に向かって狭くなっていることが好ましい。鉤２Ｅを容易に係止孔１１Ｂに係止させることが可能となるからである。
【００２９】
このテレビジョン装置１は、例えば次のようにして組み立てることが可能である。
【００３０】
図７ないし図１３は、結合部材４を用いたテレビジョン装置１の組立方法を工程順に表したものである。まず、上述した表示パネル２Ａの側面および背面に背面筐体２Ｂを取り付けて本体部２を形成し、この本体部２を、図７に示したように、背面筐体２Ｂを上にして作業台２Ｆ上に設置する。次いで、同じく図７に示したように、背面筐体２Ｂ上の所定の位置に結合部材４を設置し、第１固定部１１の第１通し孔１１Ａおよびネジ１１Ｄを用いて、結合部材４の第１固定部１１を、本体部２の背面筐体２Ｂに固定する。
【００３１】
次いで、図８に示したように、例えば二人の作業者Ｐ１，Ｐ２が各々一方の手Ｈ１で結合部材４の把持部１２を握り、他方の手Ｈ２を本体部２の背面筐体２Ｂの縁２Ｇに添えて、図９の矢印Ａに示したように、本体部２をスタンド３の支柱３Ｂに向けて下降させる。これにより、第１固定部１１および第２固定部１３の間の空腔１４にスタンド３の支柱３Ｂを収容する。なお、図９においては、把持部１２の側面１２Ｂの取付穴１２Ｄに、ケーブル結束部品５を取り付けた状態を表している。
【００３２】
このとき、例えば図１０に示したように、第２固定部１３の下端に、スタンド３の基礎３Ａまたはスピーカー内蔵部３Ｄとの位置合わせのための合印１３Ｃが設けられていることが好ましい。一方、前記スタンド３の基礎３Ａの天面にも、第２固定部１３との位置合わせのための合印３Ｅが設けられていることが好ましい。合印１３Ｃ，３Ｅとしては、例えば、凹形状、または、しぼ（皺のような凹凸）を設けることが可能である。これにより、作業者やユーザーが第２固定部１３およびスタンド３の支柱３Ｂの位置関係を認識しやすくなり、本体部２のスタンド３への装着の目安にすることが可能となる。特に、表示パネル２Ａが大型であり、作業者やユーザーが作業中に空腔１４やスタンド３の支柱３Ｂの位置を直接視認しづらい場合に好適である。
【００３３】
続いて、図１１に示したように、第２固定部１３の第２通し孔１３Ａおよびネジ１３Ｂを用いて、結合部材４の第２固定部１３を空腔１４内の支柱３Ｂに固定する。これにより、本体部２とスタンド３とが結合部材４により連結される。
【００３４】
連結後においても、例えば、作業者またはユーザーが一方の手で結合部材４の把持部１２を握り、他方の手を本体部２の背面筐体２Ｂの縁２Ｇに添えて、安定して容易に移動させることが可能となる。
【００３５】
ここで、従来のテレビジョン装置では、薄型化に伴って重量の軽量化が進み、掃除を行う際などに通常の設置場所から移動させようと試みるユーザーも増えていた。しかし、本体部は軽量化されたといっても数十キログラムの重量があり、また、薄型化により本体部に取っ手となる凹み等をつけるだけの厚みがなくなってしまったので、安定して簡単に連結や移動を行うことが困難となっていた。更に、デザイン性の向上のため、表示パネルの外観に光沢面やガラス面が採用されるようになったので、ユーザーが光沢面やガラス面に触ると指紋が付着して汚れが目立ってしまっていた。そのため、連結や移動の際にユーザーが光沢面やガラス面に直接触れることを避ける場合も多かった。
【００３６】
これに対して本実施の形態では、上述したように、作業者またはユーザーが一方の手で結合部材４の把持部１２を握り、他方の手を本体部２の背面筐体２Ｂの縁２Ｇに添えて、安定して容易に連結や移動を行うことが可能となる。このようにすれば、光沢面やガラス面に直接触れることなく連結や移動が可能となるので、汚れにより外観を損なうおそれも小さくなる。
【００３７】
図１２は、図１に示したケーブル結束部品５の取付工程を工程順に表したものである。まず、図１２（Ａ）および図１２（Ｂ）に示したように、把持部１２の側面１２Ｂの取付穴１２Ｄに、ケーブル結束部品５をネジ等により取り付ける。次いで、図１２（Ｃ）に示したように、背面筐体２Ｂから導出されたケーブル２Ｄを、ケーブル結束部品５により結束する。以上により、図１に示したテレビジョン装置１が完成する。
【００３８】
図１３は、図１に示したテレビジョン装置１に対して、壁掛けユニット１５を取り付けた状態を表したものである。なお、背面筐体２Ｂには、ＶＥＳＡ規格に基づいて、または既存の壁掛けブラケットに合わせて、壁掛けユニット１５を取り付けるためのネジ孔（図示せず）が設けられている。本実施の形態では、上述したように、第１固定部１１の第１通し孔１１Ａは、ＶＥＳＡ規格に基づく壁掛け穴や、既存の壁掛けブラケット用の穴とは別に設けることが可能であるので、本体部２に結合部材４および／またはスタンド３を取り付けたまま、本体部２に壁掛けユニット１５を取り付けて壁掛け型として使用することが可能となる。よって、壁掛けにするために結合部材４および／またはスタンド３を取り外す必要がなく、デザイン性の向上や、使用者の利便性の向上が可能となる。なお、壁掛けユニット１５の構成は特に限定されない。
【００３９】
このように本実施の形態では、結合部材４に、本体部２の背面に固定される第１固定部１１と、スタンド３の支柱３Ｂに固定される第２固定部１３とを設けると共に、第１固定部１１に把持部１２を取り付け、第１固定部１１と第２固定部１３との間の空腔１４にスタンド３の支柱３Ｂを収容するようにしたので、簡素な構成で、本体部２とスタンド３との連結および連結後の移動を安定して容易に行うことが可能となる。
【００４０】
よって、中型・大型機種において本体部２とスタンド３とを分離して輸送し、最終目的地において設置サービス担当者が本体部２とスタンド３との連結を行うことにより、梱包箱の容積を小さくし、輸送効率の改善・向上を図ることが可能となる。
【００４１】
また、テレビジョン装置１の正面（表示パネル２Ａの視認面の側）から結合部材４は全く見えず、側面から見たデザイン性にも優れている。
【００４２】
（変形例１）
図１４は、変形例１に係る結合部材４Ａの構成を表したものである。この結合部材４は、本体部２から導出されたケーブルを挟み込むための凹部１６を有しており、クランパーなどのケーブル結束部品５が無くてもケーブル２Ｄを結束することが可能となっている。凹部１６は、例えば、ケーブル２Ｄを収容するケーブル収容部１６Ａと、このケーブル収容部１６Ａよりも狭い入口１６Ｂとを有している。凹部１６の位置は特に限定されないが、例えば、第１固定部１１の下端に設けることが可能である。このことを除いては、この結合部材４Ａは、上記第１の実施の形態の結合部材４と同様の構成、作用および効果を有している。
【００４３】
（第２の実施の形態）
図１５は、本発明の第２の実施の形態に係る結合部材４の、回動補助部材２０の外観を表したものである。本実施の形態のテレビジョン装置１では、この回動補助部材２０を結合部材４の空腔１４に組み込み、第２固定部１３とスタンド３の支柱３Ｂとを回動補助部材２０を介して連結するようにしている。これにより、本実施の形態では、図１５（Ａ）に示したように本体部２を矢印Ｒ１方向に横方向回転させるスイーベル動作と、図１５（Ｂ）に示したように本体部２を矢印Ｒ２方向に縦方向（上下方向）に首振りさせるチルト動作とが可能になっている。このことを除いては、本実施の形態の結合部材４は、上記第１の実施の形態と同様の構成、作用および効果を有している。
【００４４】
回動補助部材２０は、例えば、背面部２１および底面部２２の両側に、一対の側面部２３を有している。背面部２１は、結合部材４の第２固定部１３に固定される面であり、第２通し孔１３Ａに整合する通し孔２１Ａを有している。底面部２２は、スタンド３の支柱３Ｂに対してスイーベル回動中心部２２Ａにより回動可能に固定されることにより本体部２のスイーベル動作を行わせるものである。側面部２３は、スタンド３の支柱３Ｂに対してチルト回動中心部２３Ａにより回動可能に固定されることにより本体部２のチルト動作を行わせるものである。スイーベル回動中心部２２Ａおよびチルト回動中心部２３Ａは、具体的には、支柱３Ｂおよび回動部品２０に対して螺動可能に締結されたネジにより構成することが可能である。
【００４５】
このテレビジョン装置１では、回動補助部材２０の背面部２１が結合部材４の第２固定部１３に固定され、底面部２２および側面部２３がそれぞれスタンド３の支柱３に対して回動可能に固定されている。よって、例えば本体部２を、底面部２２のスイーベル回動中心部２２Ａを中心にして矢印Ｒ１方向に回動させることにより、本体部２を横方向回転（スイーベル動作）させて左右の回転角度を変更することが可能となる。また、例えば本体部２を、側面部２３のチルト回動中心部２３Ａを中心として回動させることにより、本体部２を縦方向に首振り（チルト動作）させて前後の傾斜角度を変更することが可能となる。
【００４６】
このように本実施の形態では、傾斜・回転部品２０の背面部２１を結合部材４の第２固定部１３に固定し、底面部２２および側面部２３をそれぞれスタンド３の支柱３に対して回動可能に固定するようにしたので、本体部２のスイーベル動作およびチルト動作が可能となる。
【００４７】
以上、実施の形態を挙げて本発明を説明したが、本発明は上記実施の形態に限定されるものではなく、種々の変形が可能である。例えば、上記第１の実施の形態では、説明を簡単にするために、表示パネル２Ａの傾斜角θを６°とした場合を例として説明したが、どのような傾斜角θのチルト動作についても同じ仕組みで実現することが可能である。
【００４８】
また、上記実施の形態では、スタンド３がバータイプのスピーカー内蔵スタンドである場合について説明したが、スタンド３の構成は、基礎および支柱を有するものであれば特に限定されない。例えば、スタンド３は、スピーカーを内蔵しないバータイプのスタンドでもよく、通常の逆Ｔ字形のスタンドでもよい。
【００４９】
更に、上記実施の形態では、第１通し孔１１Ａ，第２通し孔１３Ａおよび傾斜・回転部品２０の背面部２１の通し孔２１Ａがそれぞれ三個設けられており、それらの固定にそれぞれ３本の締結ネジを用いる場合について説明したが、結合部材４および傾斜・回転部品２０のサイズ・形状によっては、通し孔の個数および締結ネジの本数は変化することは言うまでもない。
【００５０】
また、上記実施の形態では、支持対象物がテレビジョン装置１の本体部２である場合について説明したが、本発明の結合部材は、テレビジョン装置に限らず、パーソナルコンピュータのモニターなどの表示装置、デジタルフォトフレームなど、他の電子機器にも適用可能である。また、絵画、看板など、平板状の支持対象物と、基礎および支柱を有するスタンドとを連結する構造物にも広く適用可能である。
【符号の説明】
【００５１】
１…テレビジョン装置、２…本体部、２Ａ…表示パネル、２Ｂ…背面筐体、２Ｃ…電源コード、２Ｄ…ケーブル、３…スタンド、３Ａ…基礎、３Ｂ…支柱、３Ｃ…溝、４…結合部材、５…ケーブル結束部品、１１…第１固定部、１１Ａ…第１通し孔、１２…把持部、１３…第２固定部、１３Ａ…第２通し孔、１４…空腔、Ｒ１…スイーベル動作、Ｒ２…チルト動作。
【図１】
2012028981.tif 000003
【図２】
2012028981.tif 000004
【図３】
2012028981.tif 000005
【図４】
2012028981.tif 000006
【図５】
2012028981.tif 000007
【図６】
2012028981.tif 000008
【図７】
2012028981.tif 000009
【図８】
2012028981.tif 000010
【図９】
2012028981.tif 000011
【図１０】
2012028981.tif 000012
【図１１】
2012028981.tif 000013
【図１２】
2012028981.tif 000014
【図１３】
2012028981.tif 000015
【図１４】
2012028981.tif 000016
【図１５】
2012028981.tif 000017
【図１６】
2012028981.tif 000018
【図１７】
2012028981.tif 000019
【図１８】
2012028981.tif 000020
【図１９】
2012028981.tif 000021